(57)【要約】【課題】携帯電話端末と小型の基地局（フェムトセル）とを用いて、一般家庭の家屋や小規模オフィスなどの建造物を安価かつ容易に警備するセキュリティ技法（基地局および移動機）を提供する。【解決手段】移動体通信システムの建造物内に位置する基地局(FCL)は、通信回線を介して移動体通信システムと通信する通信部(140)と、建造物の開口部に設置された建具或いは建具の近傍に配置され建具の開状態を検知するスイッチから建具の開状態を取得する取得部(123)と、基地局を利用する移動機の情報を登録する登録部(121)と、移動機の位置登録を処理する処理部(122)と、建具の開状態を取得した後、処理部により前記移動機の位置登録を行う際に移動機から受信した情報が登録部に登録されている情報に一致しない場合、所定の相手先へ所定のメッセージを通信回線を介して送信するように通信部を制御する制御部(120)とを具える。【選択図】図４
2010250852.tif 000002
【特許請求の範囲】
【請求項１】
建造物内に位置する移動体通信システムの基地局であって、
通信回線を介して移動体通信システムと通信する通信部と、
前記建造物の開口部に設置された建具、或いは該建具の近傍に配置され該建具の開状態を検知するスイッチから該建具の開状態を取得する取得部と、
前記基地局を利用する移動機の情報を登録する登録部と、
前記移動機の位置登録を処理する処理部と、
前記取得部により前記建具の開状態を取得した後、前記処理部により前記移動機の位置登録を行う際に該移動機から受信した情報が前記登録部に登録されている情報に一致しない場合、所定の相手先へ所定のメッセージを前記通信回線を介して送信するように前記通信部を制御する制御部と、
を具える基地局。
【請求項２】
請求項１に記載の基地局において、
前記処理部は、前記移動機の位置登録を行う際に該移動機から受信した情報が前記登録部に登録されている移動機の情報に一致しない場合、当該移動機の位置登録を拒絶する、
ことを特徴とする基地局。
【請求項３】
請求項１または２に記載の基地局において、
前記スイッチが複数個有り、スイッチ毎にセキュリティレベルが割り当てられており、
前記所定のメッセージが、開状態を取得したスイッチに割り当てられたセキュリティレベルに応じたメッセージである、
ことを特徴とする基地局。
【請求項４】
建造物内に位置する移動体通信システムの基地局であって、
通信回線を介して移動体通信システムと通信する通信部と、
前記建造物の開口部に設置された建具、或いは該建具の近傍に配置され、該建具の開状態を検知するスイッチに対して自基地局の識別子を送信する送信部と、
前記スイッチから前記建具の開状態を取得する取得部と、
前記基地局を利用する移動機の情報を登録する登録部と、
前記移動機の位置登録を処理する処理部と、
前記取得部により前記建具の開状態を取得した後、前記処理部により前記移動機の位置登録を行う際に該移動機から受信した情報が前記登録部に登録されている情報に一致しない場合、前記移動機から受信した情報に含まれる基地局の識別子が自基地局の識別子と一致しているか否かを判定し、該判定結果に応じたメッセージを所定の相手先へ前記通信回線を介して送信するように前記通信部を制御する制御部と、
を具える基地局。
【発明の詳細な説明】
【技術分野】
【０００１】
本発明は、基地局に関し、特に、基地局の通信機能を利用することによってセキュリティ装置として機能する基地局に関する。
【背景技術】
【０００２】
現在、高層階や地階もしくは周辺の高層建築物等の為、圏外や弱電界となっている各家庭などに携帯無線端末用（携帯電話用）の小型基地局を設置することが考えられるようになってきている（以下、当該基地局のことを「フェムトセル」と呼ぶ）。フェムトセルは、各家庭に引込まれているADSL、FTTHなどのブロードバンド回線に接続し、インターネットなどを経由して携帯電話網に接続して使用することを想定している（URL:http://e-words.jp/w/E38395E382A7E383A0E38388E382BBE383AB.html）。
【０００３】
しかしながら、日本の現行の法律ではこの小型基地局は公衆基地局として扱われるため、通常の広域基地局と同様に免許申請が必要である。また、免許申請に対する許可がおりるまで１、２ヶ月かかること、設置作業は携帯電話事業者のみしかできないこと、設置場所を移動できないこと、電源をオフすることはできないこと、無停電電源装置が必要であること等々の、多数の制約が課されている（URL:http://itpro.nikkeibp.co.jp/article/Keyword/20070918/282224/）。
【０００４】
一方、総務省は2008年夏をめどに、携帯電話の電波が通じにくい高層ビルや地下店舗、山間部の住宅などをなくすため、これらの制約の緩和を検討中である（URL：http://www.asahi.com/digital/mobile/TKY200711040110.html）。これにより規制が緩和されると、一部の携帯電話事業者で既にビジネスプランが発表されつつあるように、このフェムトセルをホームステーションとして使用することが考えられてくる。
【０００５】
さらに、現在、人体通信の技術が具体化してきている（特許文献１を参照されたい）。一部のメーカーが人体通信を用いたヘッドフォンを開発するなど、Bluetoothなどに代わって、この人体通信技術が携帯電話に広く取り入れられる可能性も出てきている。
【０００６】
現在、セキュリティ会社において行われているサービスは、セキュリティがかかっている開口部に設置された建具であるドア、窓等が壊されたり開けられたりすると、セキュリティ会社へ通報がなされ、緊急で警備員が現場に赴いたりする、というものがある。料金としては、例えば、機器レンタルの場合、平均的な例として月々１万円程度のレンタル料金および警備料金と別途工事費等が発生するなどがある。また、機器買取りの場合は、月々の経費は数千円程度まで下がるが、機器代金が数十万円と高額になる場合が多い（URL：http://www.secom.co.jp/service/hs/plan/mtype.html, http://home.tokyo-gas.co.jp/security/pp/price.html）。
【０００７】
防犯、ガス漏れ、火災といった全般的なものに対するセキュリティを確保し、更に万が一の場合に、緊急で警備員を派遣するという安全を金銭で購入するわけであるが、やはり経費としては高くなるという問題点がある。
【０００８】
このような警備業界の状況において、警備員ではなく、急速に普及した携帯電話を利用することによってエンドユーザや管理人などが警備する形式のセキュリティシステムが幾つか提案されている。例えば、無線通信を使用した従来技術によるセキュリティ装置が提案されている（特許文献２を参照されたい）。図１１に、この従来技術によるセキュリティシステムの構成図を示す。この従来技術によれば、セキュリティを要する管理区域内にある主制御装置が、管理区域内の機器（照明、鍵）状態を監視することができ、更に管理者の携帯端末の位置情報を移動体通信網より取得できる。本構成では、携帯端末が管理区域外（エリア外）にあり、かつ機器状態が警告を要する状態にある時、主制御装置は携帯端末に対して警告を発する。また、機器状態が警告を要する状態で、携帯端末が管理区域から出てしまった時に、主制御装置は携帯端末に対して警告を発する。また、主制御装置は、機器に対して携帯端末の位置判定結果に応じた所定の状態になるように制御する機器制御手段を具える。
【０００９】
特定のエリア専用の基地局と、同様に専用の移動局にて構成されるシステムにおいて、この専用移動局が専用基地局のエリアを退出する際に、位置登録を実施させ、専用移動局を携帯したまま退出しないよう警告を発するというセキュリティ技術が提案されている（特許文献３を参照されたい）。図１２に、この従来技術によるセキュリティシステムの構成図を示す。
【先行技術文献】
【特許文献】
【００１０】
【特許文献１】特開２００６−３０３７３６号公報
【特許文献２】特開２００１−２０２５８１号公報
【特許文献３】特開平１１−１２２６７６号公報
【発明の概要】
【発明が解決しようとする課題】
【００１１】
図１１に示した従来技術では、エンドユーザの管理者が外出中に管理区域のドアが開けられたという情報を検出することは可能であるが、それが、警報を要しない適切或いは正常な行為であるか否か、つまり、侵入者によってドアが開けられたのか、家人、知人によって開けられたのかは分からない、という問題点がある。
【００１２】
また、図１２に示した従来技術は、退出時のみを監視しているシステムである。仮に、入室時も監視することが容易に類推できるとしても、図１１の場合と同様に、入室者が適切な者なのか、不適切な者なのかの区別をつける仕組みは考慮されていない、という問題点がある。
【００１３】
さらに、図１１、図１２に示した従来技術は、専用の主制御装置、専用の検出用送受信機、各種センサをそれぞれ使用するため、機器の開発費や設置費などのコストが高いといった問題が発生する。
【００１４】
一方、フェムトセルは小型とはいえ基地局であるため、受信機能および送信機能などの通信機能を持つ。しかしながら、この通信機能は、携帯電話との通信のみを目的とし、他の用途についての応用は考えられていなかった。本願発明者は、上述した諸問題を解決するために、今後、市販・普及が予想されるフェムトセルを警備用のセンサに利用した安価なセキュリティシステムを構築する手法に想到した。
【００１５】
そこで、本発明は、小型の基地局（フェムトセル）を用いて、一般家庭の家屋や小規模オフィスなどの建造物を安価かつ容易に警備するセキュリティ技法（セキュリティ装置として機能する基地局）を提供することを目的とする。
【課題を解決するための手段】
【００１６】
上述した諸課題を解決すべく、第１の発明による基地局は、
建造物内に位置する移動体通信システムの基地局であって、
通信回線を介して移動体通信システムと通信する通信部と、
前記建造物の開口部に設置された建具、或いは該建具の近傍に配置され該建具の開状態を検知するスイッチから該記建具の開状態を取得する取得部と、
前記基地局を利用する移動機の情報（移動機の端末ＩＤや携帯電話番号など）を登録する登録部と、
前記移動機の位置登録を処理する処理部と、
前記取得部により前記建具の開状態を取得した後、前記処理部により前記移動機の位置登録を行う際に該移動機から受信した情報（移動機の端末ＩＤや携帯電話番号など）が前記登録部に登録されている情報に一致しない場合、所定の相手先（移動機やＰＣなどの携帯電話番号やアドレス）へ所定のメッセージを前記通信回線を介して送信するように前記通信部を制御する制御部と、
を具える。
【００１７】
また、第２の発明による基地局は、
前記処理部が、前記移動機の位置登録を行う際に該移動機から受信した情報（移動機の端末ＩＤや携帯電話番号など）が前記登録部に登録されている移動機の情報に一致しない場合、当該移動機の位置登録を拒絶する、
ことを特徴とする。
【００１８】
また、第３の発明による基地局は、
前記スイッチが複数個有り、スイッチ毎にセキュリティレベルが割り当てられており、
前記所定のメッセージが、開状態を取得したスイッチに割り当てられたセキュリティレベルに応じたメッセージである、
ことを特徴とする。
【００１９】
また、第４の発明による基地局は、
建造物内に位置する移動体通信システムの基地局であって、
通信回線を介して移動体通信システムと通信する通信部と、
前記建造物の開口部（窓枠、ドア枠など）に設置された建具（窓、ドアなど）、或いは該建具の近傍に配置され該建具の開状態を検知するスイッチに対して自基地局の識別子を送信する送信部と、
前記スイッチから前記建具の開状態を取得する取得部と、
前記基地局を利用する移動機の情報（移動機の端末ＩＤや電話番号など）を登録する登録部と、
前記移動機の位置登録を処理する処理部と、
前記取得部により前記建具の開状態を取得した後、前記処理部により前記移動機の位置登録を行う際に該移動機から受信した情報（移動機の端末ＩＤや電話番号など）が前記登録部に登録されている情報に一致しない場合、前記移動機から受信した情報に含まれる基地局の識別子（ネットワークアドレスやセルＩＤなど）が自基地局の識別子と一致しているか否かを判定し、該判定結果に応じたメッセージを所定の相手先へ前記通信回線を介して送信するように前記通信部を制御する制御部と、
を具える。
【００２０】
上述したように本発明の解決手段を装置（基地局）として説明してきたが、本発明はこれらに実質的に相当する方法、プログラム、プログラムを記録した記憶媒体としても実現し得るものであり、本発明の範囲にはこれらも包含されるものと理解されたい。
【発明の効果】
【００２１】
本発明によれば、小型の基地局（フェムトセル）を用いて安価にセキュリティシステムを構築することが可能となる。
【図面の簡単な説明】
【００２２】
【図１】本発明の一実施態様によるフェムトセル（小型基地局）を使ったセキュリティシステムの構成図である。
【図２】スイッチからフェムトセルに送信される信号「OPEN」のフォーマット図である。
【図３】フェムトセルが持つ接続可能端末の情報を含むテーブルを示す図である。
【図４】図１に示したフェムトセルのブロック図である。
【図５】一実施態様による移動機のブロック図である。
【図６】一実施態様におけるセキュリティシステムにおいて人体通信によってフェムトセルＦＣＬからスイッチＳＷ３を介して移動機ＡＴに固有のフェムトセルＡＰ番号を書き込むプロセスを説明する図である。
【図７】実施例１による処理のシーケンス図である。
【図８】実施例２による処理のシーケンス図である。
【図９】実施例３によるフェムトセルを使ったセキュリティシステムの構成図である。
【図１０】実施例３による処理のシーケンス図である。
【図１１】従来技術によるセキュリティシステムの構成図である。
【図１２】従来技術によるセキュリティシステムの構成図である。
【発明を実施するための形態】
【００２３】
以降、諸図面を参照しながら、本発明の実施態様を詳細に説明する。
【００２４】
図１は、本発明の一実施態様によるフェムトセル（小型基地局）を使ったセキュリティシステムの構成図である。図に示すように、建造物には１つの居室（部屋）Ｒ１があり、建造物の開口部である２つの窓ＷＤ１，ＷＤ２、１つのドアＤＲ１には、これら開口部の開状態および閉状態を検知するための第１スイッチＳＷ１、第２スイッチＳＷ２、第３スイッチＳＷ３がそれぞれ設置されている。第１のスイッチＳＷ１は、窓ＷＤ１の開状態および閉状態を検知する開閉検出部ＭＯＮ１、検出した開状態および閉状態を含む信号（例えば、信号「OPEN」など）をフェムトセル（フェムトセルアクセスポイント、基地局）ＦＣＬに送信したり、或いは、フェムトセルＦＣＬから固有のフェムトセルＡＰ（アクセスポイント）番号を含む信号を受信したりするインターフェイス部ＩＦ１とを具える。第２のスイッチＳＷ２、第３のスイッチＳＷ３も、同様の機能を持つ開閉検出部ＭＯＮ２，ＭＯＮ３、インターフェイス部ＩＦ２，ＩＦ３をそれぞれ具える。
【００２５】
このように第１−３のスイッチＳＷ１−３は、建造物の進入路となり得る開口部に設置された建具である「ドア、窓等」に設置して、ドア、窓等が開いたことを機械的、もしくは光学的に検知する。また、第１−３のスイッチＳＷ１−３は、ドア、窓等が開いたことを示す信号「OPEN」を、フェムトセルＦＣＬに、有線もしくは無線にて送信することができる。この図の場合、第３のスイッチＳＷ３は、ドアＤＲが開いたことを検知し、信号「OPEN」を無線でフェムトセルＦＣＬに送信する。フェムトセルＦＣＬは、第３のスイッチＳＷ３から送信された信号「OPEN」を受信する。
【００２６】
図２は、スイッチからフェムトセルに送信される信号「OPEN」のフォーマット図である。図に示すように、信号「OPEN」は、スイッチとフェムトセルとを対応付けるために、フェムトセル固有の番号（以下、「フェムトセルＡＰ番号」）を情報要素２として持ち、更に、スイッチを特定するための番号（以下、「スイッチ番号」）を情報要素１として持つ。
【００２７】
図３は、フェムトセルが持つ接続可能端末（フェムトセルを利用する移動機）の情報を含むテーブルを示す図である。図に示すように、テーブルＴＢ１には、移動機（携帯電話端末）ＡＴ１，ＡＴ２が登録されており、各端末には端末ＩＤ、携帯電話番号、契約者名、機種などの情報が関連付けられている。フェムトセルＦＣＬは、通常のマクロセルの基地局と同様に動作するために、周囲にある他人（登録者以外）の「携帯端末」もフェムトセルＦＣＬに対して位置登録を行うことができる。フェムトセルＦＣＬ内のメモリ領域（記憶部）には、フェムトセルに予め登録されているフェムトセルＡＰ番号と、接続可能端末(グループ登録済端末)とを記憶する領域を持ち、そこに図３のテーブルＴＢ１の情報を保持している。また、記憶部には、所定の相手先の携帯電話番号、固定電話番号、電子メールアドレスなどの情報、所定の警告メッセージの内容「侵入者を検知」などが予め格納されている。この例では、説明の便宜上「山田さん」名義の携帯電話のみを登録したものを挙げたが、山田さんの家族や、山田さんの知人、友人など当該家族が住む家屋（フェムトセルが設置された建造物）に出入りする者の携帯電話番号、端末ＩＤ、名前などを登録してもよい。
【００２８】
図４は、図１に示したフェムトセルのブロック図である。図に示すように、フェムトセルＦＣＬは、携帯電話端末と通信するための無線部１１０と、装置全体の制御を行うフェムトセル制御部１２０と、インターネットＩＮＥＴに接続するためのブローバンド回線（通信回線）と接続するためのＬＡＮ接続部（通信部）１４０と、各スイッチからの信号（例えばドアの開状態を示す信号など）を取得し、この信号をトリガーにしてフェムトセルをセキュリティ装置として機能させるスイッチインターフェイス部１３０と、各種設定情報を保存するための記憶部１５０と、携帯電話端末と通信する電波を送受信するアンテナＡＮＴ１と、各スイッチＳＷ１−３から信号を受信するアンテナＡＮＴ２とからなる。ＬＡＮ接続部１４０は、インターネットＩＮＥＴ、サーバＳＶなどを介してデータサーバＤＳや携帯網（移動体通信網、移動体通信システム）ＣＮＥＴと接続・通信している。
【００２９】
フェムトセル制御部１２０は、フェムトセルＦＣＬを利用する少なくとも１つの移動機（携帯電話端末）の利用者の情報を登録する登録部１２１と、移動機の位置登録などを処理する処理部１２２と、スイッチインターフェイス部１３０を介してスイッチからメッセージを取得する取得部１２３と、設定部１２４とを具える。登録部１２１は、無線によりフェムトセルＦＣＬを利用する少なくとも１つの移動機の利用者の情報（携帯電話番号、端末ＩＤなどの識別情報）を登録する。登録された情報は記憶部１５０にも格納される。設定部１２４は、フェムトセルの本発明によるセキュリティ機能を作動させるか否かを設定する。例えば、登録部１２１に登録されている移動機が、自局が提供する無線エリア圏内に１つも存在しない場合にセキュリティ機能を作動させることが好適である。
【００３０】
スイッチインターフェイス部（ＳＩＦ）１３０は、フェムトセルＡＰ番号書き込み部ＷＲＴを持つ。自基地局に固有のフェムトセルＡＰ番号を無線でアンテナＡＮＴ２を介して、或いは、有線を介して、スイッチＳＷ１−３に送信し、さらに、スイッチＳＷ１−３およびドアＤＲや窓ＷＤ１，ＷＤ２などの建具、人体を介して移動機ＡＴに固有のフェムトセルＡＰ番号を格納させる。
【００３１】
図５は、一実施態様による移動機（携帯電話端末）のブロック図である。図に示すように、移動機ＡＴは、端末全体の制御を司る制御部（例えば、ＣＰＵなど）２１０、音声制御部２２０、携帯電話ベースバンド部２３０、携帯電話無線部２４０、アンテナＡＮＴ３、記憶部２５０、表示部２６０、入力部（キー、ボタンなど）２７０、および人体通信部(Human Body Communication Unit)２８０を具える。人体通信部２８０は、移動機ＡＴの筐体および導体である人体を配線として外部の装置である建具、より正確にには、建具や建具が設けられている開口部に設置された開閉監視装置として機能するスイッチＳＷ１−３と通信を行う。なお、人体通信には高電圧が用いられる場合もあるが、小電流であるため人体の健康に影響を及ぼさない。また、人体通信では、人体（典型的には手や指）が手袋や衣服などを介して建具であるドアノブや窓などに接触しても、問題なくデータの送受信を行うことが可能である。
【００３２】
次に、少なくとも当該ユーザが契約している端末（移動機）をフェムトセルに接続可能にし、それら以外の他人（登録車以外）の端末のフェムトセルへの無線接続を検知したり、フェムトセルが位置する建造物の開口部、開口部に設置された建具、或いはそれらの近傍に設置されたスイッチを用いて当該建造物を警備する警備手法を図６、図７、図８を参照しながら実施例１として説明する。
【００３３】
図６は、一実施態様におけるセキュリティシステムにおいて人体通信によってフェムトセルＦＣＬからスイッチＳＷ３を介して移動機ＡＴに固有のフェムトセルＡＰ番号を書き込むプロセスを説明する図である。一例として第３のスイッチＳＷ３を用いて説明するが、他のスイッチの場合も同様に機能する。図に示すように、フェムトセルＦＣＬは、人体ＨＭがドアＤＲに触って当該ドアＤＲを開けたことを示す信号「OPEN」を第３のスイッチＳＷ３から受信すると、スイッチインターフェイス部ＳＩＦに設けたフェムトセルＡＰ番号書き込み部ＷＲＴが固有のフェムトセルＡＰ番号を信号「OPEN」の送信元である第３のスイッチＳＷ３に無線で送信し、当該スイッチＳＷ３内に書き込む（記憶させる）。第３のスイッチ３の人体通信部２８０は、インターフェイス部ＩＦ３から「固有のフェムトセルＡＰ番号」を受け取り、この情報を、導体であるドアＤＲの一部、人体ＨＭの一部、および他の介在物（衣服、手袋など）を介して移動機ＡＴ内の人体通信部２８０に送信する。移動機ＡＴの人体通信部２８０は当該情報「固有のフェムトセルＡＰ番号」を記憶部２５０に格納する。格納された「固有のフェムトセルＡＰ番号」は、位置登録の際に使用される。或いは、第３のスイッチＳＷ３は、予め、「固有のフェムトセルＡＰ番号」をフェムトセルＦＣＬから取得し、記憶部（図示せず）に格納しておいてもよい。
【００３４】
＜実施例１＞
図７は、実施例１による処理のシーケンス図である。実施例１では、図１−６の機器、構成を使用するものとする。図７には、移動機ＡＴと、スイッチＳＷ３、フェムトセルＦＣＬ、所定の相手先の端末の処理を時系列に示してある。これ以降の実施例では、一例としてスイッチＳＷ３を挙げるが、他のスイッチにおいても同様の処理でセキュリティシステムを構成できることに注意されたい。
【００３５】
＜スイッチＳＷ３の処理＞
スイッチＳＷ３は、ステップＳ１１にて、監視対象であるドアＤＲが触れられるまで待ち続ける。ドアＤＲが触れられるとステップＳ１２にて、フェムトセルＡＰ番号を含むメッセージＭＳＧ１を人体通信でドアＤＲを介して送信する。メッセージＭＳＧ１は、人体通信で送信されるメッセージであり、メッセージ種別として「固有番号」と、情報要素１として「フェムトセルＡＰ番号」とを含む。スイッチＳＷ３は、ステップＳ１３にて、ドアＤＲが開くまで待ち続ける。ドアＤＲが開けられるとステップＳ１４にて、信号「OPEN」を示すメッセージＭＳＧ２をフェムトセルＦＣＬに送信する。メッセージＭＳＧ２は、メッセージ種別として「OPEN」と、情報要素１として「スイッチ番号」と、情報要素２として「フェムトセルＡＰ番号」とを含む。スイッチＳＷ３の処理は以上で終了であり、その後は、ステップＳ１１に戻り、ドアが触れられるのを待つ。
【００３６】
＜移動機ＡＴの処理＞
移動機ＡＴは、ドアＤＲに触れた人物が携帯している移動機（携帯電話端末）である。移動機ＡＴは、ステップＡ１１にて、フェムトセルＡＰ番号を含む人体通信でメッセージＭＳＧ１を受信する。ステップＡ１２にて、受信したフェムトセルＡＰ番号を記憶部に格納する。ステップＡ１３にて、移動機ＡＴは、位置登録要求を受信する。受信した後ステップＡ１４にて、移動機ＡＴは、位置登録とメッセージＭＳＧ３をフェムトセルＦＣＬに送信し、一旦、処理を終える。場合によっては、フェムトセルＦＣＬにて位置登録を拒絶された場合は、ステップＡ１５にて、位置登録破棄を受信して処理を終える。メッセージＭＳＧ３は、メッセージ種別として「位置登録」、情報要素１として「携帯無線端末ＩＤ」、情報要素２として「フェムトセルＡＰ番号」を含む。
【００３７】
＜フェムトセルＦＣＬの処理＞
フェムトセルＦＣＬは、ステップＦ１１にて、信号「OPEN」を示すメッセージＭＳＧ２を受信する。ステップＦ１２にて、フェムトセルＦＣＬは、既に自己のフェムトセルＦＣＬに対して位置登録している移動機ＡＴがあるか否かを判定する。既に位置登録している移動機ＡＴがある場合は、信号「OPEN」よりも先に移動機ＡＴが位置登録を済ませている可能性もあるので、ステップＦ１３にて、フェムトセルＦＣＬは、移動機ＡＴに「位置登録要求」を送信する。
【００３８】
ステップＦ１３にて位置登録要求を送信した後、或いは、ステップＦ１２の条件を満たさなかった場合は、ステップＦ１４にて、フェムトセルＦＣＬはタイマーをスタートする。ステップＦ１５にて、タイマー満了か否かを検査する。タイマーが満了した場合は、侵入者の可能性大であるとして、処理を終える。タイマーが満了していない場合は、ステップＦ１６にて、移動機ＡＴからの位置登録の受付を試行する。ステップＦ１７にて、位置登録している移動機ＡＴがあるか否かを判定する。位置登録している移動機ＡＴがない場合は、ステップＦ１５に戻る。
【００３９】
ステップＦ１７において位置登録している移動機ＡＴがあると判定された場合は、ステップＦ１８に進み、位置登録している移動機ＡＴのＩＤと、フェムトセルＦＣＬに予め登録してあるＩＤが一致するか否かを判定する。ＩＤが一致する場合は、問題なしとして処理を終える。ＩＤが一致しない場合は、ステップＦ１９にて、位置登録破棄（拒絶）を移動機ＡＴに送信する。ステップＦ２０にて、フェムトセルＦＣＬは「侵入者あり」と判断する。その後、ステップＦ２１にて、防犯アラームを知らせるメッセージＭＳＧ４をブロードバンド回線、インターネット、携帯電話網などを介して所定の相手先（携帯電話端末やＰＣなど）に送信して処理を終える。メッセージＭＳＧ４は、メッセージ種別として防犯アラームと、情報要素１として「侵入者あり」と、情報要素２として「位置登録してきた侵入者の携帯無線端末ＩＤ」とを送信する。
【００４０】
＜所定の相手先＞
所定の相手先（携帯電話端末やＰＣなど）は、ステップＴ１１にて、防犯アラームを示すメッセージＭＳＧ４を受信する。所定の相手先の情報は、携帯電話端末の電話番号やＰＣなどのアドレス（電子メールアドレスやＩＰアドレス）などがあり、フェムトセルＦＣＬの記憶部１５０にこれらの情報が格納（記述）されている。図示していないが、所定の相手先の端末やＰＣは、表示部に受信したメッセージＭＳＧ４に含まれている内容を表示したり、発光部を明滅させたり、振動部を振動させたり、音声部により当該内容を読み上げたりして所定の相手先の機器を使用しているユーザに通知する。
【００４１】
このようにして、図７においては、移動機ＡＴが当該フェムトセルＦＣＬに予め登録している（ＩＤ一致）と判定された場合には（ステップＦ１８）、ステップＡ１４による位置登録が成功して、処理が終了する。移動機ＡＴが当該フェムトセルＦＣＬに予め登録していない（ＩＤ不一致）と判定された場合には（ステップＦ１８）、フェムトセルＦＣＬによるステップＦ１９以降、および所定の相手先のステップＴ１１が実行され、所定の相手先に防犯アラーム（メッセージ）が通知される。
【００４２】
＜実施例２＞
図８は、実施例２による処理のシーケンス図である。図８には、フェムトセルＦＣＬ、所定の相手先（携帯電話端末やＰＣ）の処理を時系列に示してある。移動機ＡＴおよびスイッチＳＷ３の処理は、図７と同様に時系列で行われるが、作図および説明の便宜上省略する。
【００４３】
＜フェムトセルＦＣＬの処理＞
ステップＦ１１−１９までの処理は、実施例１のそれらと同様である。ステップＦ１５にてタイマー満了した場合は、ステップＦ３１に進み、移動機ＡＴ未所持の侵入者有りと判断する。その後、ステップＦ３２にて、フェムトセルＦＣＬは、メッセージ防犯アラームを示すメッセージＭＳＧ５をブロードバンド回線、インターネット、携帯電話網などを介して所定の相手先（携帯電話端末やＰＣなど）に送信する。メッセージＭＳＧ５は、メッセージ種別として「防犯アラーム」と、情報要素１として「移動機ＡＴ未所持の侵入者有り」という情報とを含む。
【００４４】
ステップＦ１９を実行した後、フェムトセルＦＣＬは、移動機ＡＴから送信された位置登録の情報要素として含まれる「フェムトセルＡＰ番号」が、自局のフェムトセルＡＰ番号と一致するか否か、或いは、情報要素として「フェムトセルＡＰ番号」が含まれているか否か判定する。フェムトセルＦＣＬは、フェムトセルＡＰ番号が一致する場合は、ステップＦ３４にて侵入者有りと判定し、さらにステップＦ３５にて、防犯アラームを示すメッセージＭＳＧ８をブロードバンド回線、インターネット、携帯電話網などを介して所定の相手先（携帯電話端末やＰＣなど）に送信する。メッセージＭＳＧ８は、メッセージ種別として「防犯アラーム」と、情報要素１として「侵入者有り」という情報と、情報要素２として「位置登録してきた侵入者の携帯無線端末ＩＤ」とを含む。
【００４５】
ステップＦ３３においてフェムトセルＡＰ番号が一致していないと判定された場合は、ステップＦ３６にて、フェムトセルＦＣＬは、「ドアが開けられているので開けた人物のＡＴと異なる移動機ＡＴを所持している別の人物が居室に侵入してきた」と判断する。その後、ステップＦ３７にて、フェムトセルＦＣＬは、防犯アラームを示すメッセージＭＳＧ７をブロードバンド回線、インターネット、携帯電話網などを介して所定の相手先（携帯電話端末やＰＣなど）に送信する。メッセージＭＳＧ７は、メッセージ種別として「防犯アラーム」と、情報要素１として「侵入者有り」という情報と、情報要素２として「位置登録している侵入者の携帯無線端末ＩＤ」を含む。
【００４６】
ステップＦ３３において情報要素として「フェムトセルＡＰ番号」が含まれていないと判定された場合は、ステップＦ３８にて、フェムトセルＦＣＬは、「位置登録してきた移動機ＡＴは人体通信機能を持たない移動機であり、このような移動機ＡＴを所持した人物が居室に入室してきた、或いは、移動機ＡＴを所持しない別の人物が居室に入室してきた」と判断する。その後、ステップＦ３９にて、フェムトセルＦＣＬは、防犯アラームを示すメッセージＭＳＧ６をブロードバンド回線、インターネット、携帯電話網などを介して所定の相手先（携帯電話端末やＰＣなど）に送信する。メッセージＭＳＧ６は、メッセージ種別として「防犯アラーム」と、情報要素１として「人体通信非対応の移動機ＡＴ所持の侵入者あり、或いは移動機ＡＴ未所持の侵入者有り」という情報とを含む。
【００４７】
＜所定の相手先＞
所定の相手先（携帯電話端末やＰＣなど）は、ステップＴ１１にて、防犯アラームを示すメッセージＭＳＧ６、７、８のいずれかを受信する。図示していないが、所定の相手先は、表示部に受信したメッセージＭＳＧ６，７，８に含まれている内容を表示したり、音声部により当該内容を読み上げたりして所定の相手先の機器を使用しているユーザに通知する。
【００４８】
＜実施例３＞
図９は、本発明の実施例３によるフェムトセル（小型基地局）を使ったセキュリティシステムの構成図である。図に示すように、建造物には３つの居室（部屋）Ｒ１１，Ｒ１２，Ｒ１３があり、建造物の開口部である２つの窓ＷＤ１，ＷＤ２、１つのドアＤＲ１には、これら開口部の開状態および閉状態を検知するための第１スイッチＳＷ１、第２スイッチＳＷ２、第３スイッチＳＷ３がそれぞれ設置されている。実施例３では、居室Ｒ１２と居室Ｒ１３との間の開口部にドアＤＲ２と、居室Ｒ１２と居室Ｒ１１との間の開口部にドアＤＲ３とが設置されている。ドアＤＲ２，３には、開口部の開状態および閉状態を検知するための第４スイッチＳＷ４と、第５スイッチＳＷ５とがそれぞれ設置されている。
【００４９】
実施例１と同様に、第１−３のスイッチＳＷ１−３は、開閉検出部ＭＯＮ１−３、インターフェイス部ＩＦ１−３をそれぞれ具える。第４、第５スイッチＳＷ４，ＳＷ５は、開閉検出部ＭＯＮ４，ＭＯＮ５、インターフェイス部ＩＦ４，ＩＦ５をそれぞれ具える。実施例３では、居室別にセキュリティレベルが割り当てられている。居室Ｒ１２には、重要なものがあり、高いセキュリティレベルが割り当てられ、居室Ｒ１１，Ｒ１３には、通常（中程度）のセキュリティレベルが割り当てられている。実施例３では、このセキュリティレベルに応じた内容を含む防犯メッセージを送信することが可能である。従って、居室Ｒ１２に割り当てられたセキュリティレベルに応じて、居室Ｒ１２への開口部である窓ＷＤ２，ドアＤＲ２，ＤＲ３にも高いセキュリティレベルが割り当てられ、これらの建具が開放され、所定の条件に合致した場合には、より緊急性、或いは、重要度の高い防犯メッセージが所定の相手先に送信される。
【００５０】
図１０は、実施例３による処理のシーケンス図である。図１０には、フェムトセルＦＣＬ、所定の相手先（携帯電話端末やＰＣ）の処理を時系列に示してある。移動機ＡＴおよびスイッチＳＷ３の処理は、図７と同様に時系列で行われるが、作図および説明の便宜上省略する。
【００５１】
＜フェムトセルＦＣＬの処理＞
ステップＦ１１−１９までの処理は、実施例１、２のそれらと同様である。ステップＦ１５にてタイマー満了した場合は、ステップＦ３１に進み、移動機ＡＴ未所持の侵入者有りと判断する。その後、ステップＦ４６にて、フェムトセルＦＣＬは、メッセージ防犯アラームを示すメッセージＭＳＧ９をブロードバンド回線、インターネット、携帯電話網などを介して所定の相手先（携帯電話端末やＰＣなど）に送信する。メッセージＭＳＧ９は、メッセージ種別として「防犯アラーム」と、情報要素１として「移動機ＡＴ未所持の侵入者有り」という情報と、情報要素２として「スイッチ番号」とを含む。所定の相手先は、スイッチ番号の情報を得ることができるため、自宅やオフィスのどの居室に侵入されたのかを把握することが可能となる。また、所定の相手先は、各居室への侵入がどの程度の影響があるのかを容易に把握することが可能であり、警察や警備会社などの諸機関への出動要請をスイッチ番号に基づき決定することが可能である。
【００５２】
ステップＦ３３，Ｆ３４，Ｆ３６，Ｆ３８の処理は、実施例２のそれらと同様である。ステップＦ３４を実行した後、ステップＦ４０にて、フェムトセルＦＣＬは、メッセージＭＳＧ２に含まれるスイッチ番号に対応するセキュリティレベルを取得する。同様に、ステップＦ３６，Ｆ３８を実行した後、ステップＦ４２，Ｆ４４にて、フェムトセルＦＣＬは、メッセージＭＳＧ２に含まれるスイッチ番号に対応するセキュリティレベルをそれぞれ取得する。セキュリティレベルは、下記のようなテーブルを記憶部に予め格納しておき、そのテーブルを参照して取得する。
【００５３】
【表１】
2010250852.tif 000003
【００５４】
例えば、本実施例では、ドアＤＲ１が開けられた場合には、ドアＤＲ１の近くに設置されているスイッチＳＷ３に対応付けられたセキュリティレベル「中」を含むメッセージが送信され、次に、ドアＤＲ２が開けられるとスイッチＳＷ４に対応付けられたセキュリティレベル「高い」を含むメッセージが送信されることになる。
【００５５】
図１０の説明に戻るが、ステップＦ４１，Ｆ４３，Ｆ４５にて、防犯アラームを示すメッセージＭＳＧ１２，１１，１０をそれぞれ送信して処理を終える。メッセージＭＳＧ１２は、メッセージ種別として「防犯アラーム」と、情報要素１として「侵入者有り」という情報と、情報要素２として「位置登録してきた侵入者の携帯無線端末ＩＤ」と、情報要素３として「セキュリティレベルに応じた情報」とを含む。
【００５６】
メッセージＭＳＧ１１は、メッセージ種別として「防犯アラーム」と、情報要素１として「侵入者有り」という情報と、情報要素２として「位置登録してきた侵入者の携帯無線端末ＩＤ」、情報要素３として「セキュリティレベルに応じた情報」を含む。また、メッセージＭＳＧ１０は、メッセージ種別として「防犯アラーム」と、情報要素１として「人体通信非対応の移動機ＡＴ所持の侵入者あり、或いは移動機ＡＴ未所持の侵入者有り」という情報と、情報要素２として「セキュリティレベルに応じた情報」を含む。例えば、セキュリティレベルが高い場合には、該当するスイッチ番号、居室番号（或いは、部屋の名前）、メッセージ「緊急事態発生、進入箇所：ハイセキュリティエリア」などを含む。
【００５７】
本発明の各実施態様による利点を再度説明する。フェムトセルは、日本においては市販されていないが、その価格は数万円程度になることが予想されている。これに、スイッチとの通信機能（例えば、Bluetooth）を搭載したとしても、数千円程度のコストアップで済むものと考えられる。また、スイッチ自体はドア開閉検出部の他にBluetooth機能と人体通信機能を搭載しても、高々1万円程度と推測される。従って、例えば、フェムトセル１台とスイッチ１０個購入したとしても、セキュリティ会社から機材をレンタルし、警備契約を結ぶのに比べれば、非常に安価に高度なセキュリティシステムを構築することが可能となる。
【００５８】
また、ドアや窓等の開口部を開けた人物の携帯無線端末に、スイッチは人体通信により「フェムトセルＡＰ番号」を書き込み、更に、その携帯無線端末がフェムトセルに位置登録する際に、情報要素として「携帯無線端末ＩＤ」と「フェムトセルＡＰ番号」を送信するので、フェムトセルは自局が設置されている家庭のドアや窓等を開けて入ってきたこと、および携帯無線端末のＩＤが何であるかを把握することが可能となる。また、人体通信は、「直接的な接触」による一種の有線通信であるため、偶然にフェムトセルの圏内を通ってしまっただけで位置登録してしまった「通りすがりの携帯無線端末」を、侵入者と誤認識することを完全に防止することが可能となる。セキュリティシステムにおいては、誤作動、誤認識、誤警報などを抑止することが極めて重要であり、人体通信を利用することにより「通りすがりの携帯無線端末」を検出対象から除外することは極めて効果的に作用する。
【００５９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。
【符号の説明】
【００６０】
ＦＣＬ  フェムトセル
１１０  無線部
１２０  フェムトセル制御部
１２１  登録部
１２２  処理部
１２３  取得部
１２４  設定部
１３０  スイッチインターフェイス部
１４０  ＬＡＮ接続部（通信部）
１５０  記憶部
ＡＮＴ１  アンテナ
ＡＮＴ２  アンテナ
ＳＶ  サーバ
ＤＳ  データサーバ
ＩＮＥＴ  インターネット
ＣＮＥＴ  携帯網（移動体通信網）
ＡＴ  移動機
２１０  制御部
２２０  音声制御部
２３０  携帯電話ベースバンド部
２４０  携帯電話無線部
２５０  記憶部
２６０  表示部
２７０  入力部
２８０  人体通信部
ＡＮＴ３  アンテナ
ＤＲ，ＤＲ１，ＤＲ２，ＤＲ３  ドア
ＨＭ  人体
ＩＦ１−ＩＦ５  インターフェイス部
ＭＯＮ１−ＭＯＮ５  開閉検出部
ＭＳＧ１−ＭＳＧ１２  メッセージ
Ｒ１，Ｒ１１，Ｒ１２、Ｒ１３  居室
ＳＩＦ  スイッチインターフェイス部
ＳＷ１−ＳＷ５  スイッチ
ＴＢ１  テーブル
ＷＤ１，ＷＤ２  窓
ＷＲＴ  フェムトセルＡＰ番号書き込み部
【図１】
2010250852.tif 000004
【図２】
2010250852.tif 000005
【図３】
2010250852.tif 000006
【図４】
2010250852.tif 000007
【図５】
2010250852.tif 000008
【図６】
2010250852.tif 000009
【図７】
2010250852.tif 000010
【図８】
2010250852.tif 000011
【図９】
2010250852.tif 000012
【図１０】
2010250852.tif 000013
【図１１】
2010250852.tif 000014
【図１２】
2010250852.tif 000015